(57)【要約】本開示は、画素表示ユニットを提供し、スマート端末技術分野に属する。前記画素表示ユニットはディスプレイに用いられ、前記画素表示ユニットは、発光手段と陽極を含み、陽極は前記ディスプレイに平行な方向に設置された第１の陽極部分と第２の陽極部分を含み、第１の陽極部分の素材は透明材料であり、第２の陽極部分の素材は非透明材料を含み、発光手段はディスプレイの陰極と陽極との間に設置され、且つ陽極はディスプレイの基板と発光手段との間に設置される。本開示は、第１の陽極部分と第２の陽極部分を画素表示ユニットに設置し、第２の陽極部分の発光手段からの光線に対する発散効果を弱くさせることで、ディスプレイにおける当該画素表示ユニットの位置する箇所での光透過性を確保し、当該画素表示ユニットの位置する箇所での表示效果を向上する。【選択図】図４
2021529411.tif 000002
【特許請求の範囲】
【請求項１】
ディスプレイに適用される画素表示ユニットであって、前記画素表示ユニットは、発光手段及び陽極を含み、
前記陽極は、前記ディスプレイに平行な方向に設置された第１の陽極部分と第２の陽極部分を含み、前記第１の陽極部分の素材は透明材料であり、前記第２の陽極部分の素材は非透明材料を含み、
前記発光手段は前記ディスプレイの陰極と前記陽極との間に設置され、且つ前記陽極は前記ディスプレイの基板と前記発光手段との間に設置される
ことを特徴とする画素表示ユニット。
【請求項２】
前記第1の陽極部分は前記第２の陽極部分を完全又は不完全に囲み、
又は、
前記第２の陽極部分は前記第１の陽極部分を完全又は不完全に囲む
ことを特徴とする請求項１に記載された画素表示ユニット。
【請求項３】
前記陽極は少なくとも二つの第１の陽極部分を含み、及び／又は、
前記陽極は少なくとも二つの第２の陽極部分を含む
ことを特徴とする請求項１に記載された画素表示ユニット。
【請求項４】
前記発光手段は第１の発光手段部分及び第２の発光手段部分を含み、
前記第１の発光手段部分は前記第１の陽極部分に対応し、且つ前記第２の発光手段部分は前記第２の陽極部分に対応し、
前記第１の発光手段部分は前記第２の発光手段部分に接続され、又は、前記第１の発光手段部分は画素規制層ＰＤＬによって前記第２の発光手段部分と隔離される
ことを特徴とする請求項１に記載された画素表示ユニット。
【請求項５】
前記発光手段の構成材料は赤色有機発光ダイオードＯＬＥＤ材料、緑色ＯＬＥＤ材料又は青色ＯＬＥＤ材料である
ことを特徴とする請求項１〜４のいずれか１項に記載された画素表示ユニット。
【請求項６】
前記第１の陽極部分の構成材料は酸化インジウムスズＩＴＯ材料であり、
前記第２の陽極部分の構成材料はＩＴＯ材料と銀材料との混合材料又は積層材料である
ことを特徴とする請求項１に記載された画素表示ユニット。
【請求項７】
前記陰極の構成材料は、銀とマグネシウムとの混合材料であり、
又は、
前記陰極の構成材料の透過率は銀とマグネシウムとの混合材料の透過率よりも高い
ことを特徴とする請求項１に記載された画素表示ユニット。
【請求項８】
少なくとも一つの請求項１〜７のいずれか１項に記載された画素表示ユニットを含む
ことを特徴とする画面表示ユニット。
【請求項９】
前記画面表示ユニットは駆動回路、をさらに含み、
前記駆動回路は前記少なくとも一つの画素表示ユニットの位置以外の別の位置に設置され、又は、前記駆動回路は前記少なくとも一つの画素表示ユニットの第２の陽極部分と前記基板との間に設置され、
前記駆動回路は前記少なくとも一つの画素表示ユニットにそれぞれ電気的に接続される
ことを特徴とする請求項８に記載された画面表示ユニット。
【請求項１０】
少なくとも一つの第１の画面表示ユニットを含み、前記第１の画面表示ユニットは、請求項８又は９に記載された画面表示ユニットである
ことを特徴とするディスプレイ。
【請求項１１】
少なくとも一つの第２の画面表示ユニットをさらに含み、前記第２の画面表示ユニットの陽極は透明材料を採用する
ことを特徴とすることを特徴とする請求項１０に記載されたディスプレイ。
【請求項１２】
少なくとも一つの第３の画面表示ユニットをさらに含み、前記第３の画面表示ユニットの陽極は非透明材料を採用する
ことを特徴とすることを特徴とする請求項１０に記載されたディスプレイ。
【請求項１３】
少なくとも一つの請求項１０〜１２のいずれか１項に記載されたディスプレイを含む
ことを特徴とする端末。
【請求項１４】
前記ディスプレイの下に設置されたアンダースクリーンユニットをさらに含み、
前記画面表示ユニットは前記ディスプレイにおける第１の画面領域に設置され、前記第１の画面領域は前記アンダースクリーンユニットに対応する画面領域である
ことを特徴とする請求項１３に記載された端末。
【請求項１５】
前記画面表示ユニットにおける画素表示ユニットの非透明面積の割合は、中心距離と正の相関を持ち、
前記非透明面積の割合は、前記画素表示ユニットにおける第２の陽極部分の面積と前記画素表示ユニットにおける陽極の面積との割合であり、前記中心距離は、前記陽極の中心と前記アンダースクリーンユニットの中心との間の距離である
ことを特徴とする請求項１３に記載された端末。
【請求項１６】
前記アンダースクリーンユニットは、カメラユニット及びセンサーユニットの中の少なくとも一方を含む
ことを特徴とする請求項１４に記載された端末。
【発明の詳細な説明】
【技術分野】
【０００１】
本願は、出願番号が２０１９１０４４１９４８．３であって、出願日が２０１９年５月２４日である中国特許出願に基づき優先権を主張し、当該中国特許出願の内容の全てを本願に援用する。
【０００２】
本開示は、スマート端末技術分野に関するものであり、特に、画素表示ユニット、画面表示ユニット、ディスプレイ及び端末に関するものである。
【背景技術】
【０００３】
スマート端末技術分野の急速な発展に伴い、フルスクリーンは現在のスマートフォン等のスマート端末の主流画面になってきた。
【０００４】
関連技術において、フルスクリーンが端末正面におけるセンサー及びフロントカメラに対する遮蔽を回避する方式は、センサー及びフロントカメラ等をディスプレイの下方に設置し、ディスプレイの陽極の素材を透明材料に置き換えている。
【発明の概要】
【発明が解決しようとする課題】
【０００５】
本開示の実施例は画素表示ユニット、画面表示ユニット、ディスプレイ及び端末を提供する。
【課題を解決するための手段】
【０００６】
前記の技術的案は以下の通りである。
即ち、本開示の実施例の第１の態様によれば、画素表示ユニットが提供され、前記画素表示ユニットはディスプレイに適用され、前記画素表示ユニットは、発光手段及び陽極を含み、
前記陽極は、前記ディスプレイに平行な方向に設置された第１の陽極部分と第２の陽極部分を含み、前記第１の陽極部分の素材は透明材料であり、前記第２の陽極部分の素材は非透明材料を含み、
前記発光手段は前記ディスプレイの陰極と前記陽極との間に設置され、且つ前記陽極は前記ディスプレイの基板と前記発光手段との間に設置される。
選択的に、前記第１の陽極部分は前記第２の陽極部分を完全又は不完全に囲み、
又は、
前記第２の陽極部分は前記第１の陽極部分を完全又は不完全に囲む。
【０００７】
選択的に、前記陽極は少なくとも一つの第１の陽極部分を含み、及び／又は、
前記陽極は少なくとも一つの第２の陽極部分を含む。
【０００８】
選択的に、前記発光手段は第１の発光手段部分及び第２の発光手段部分を含み、
前記第１の発光手段部分は前記第１の陽極部分に対応し、且つ前記第２の発光手段部分は前記第２の陽極部分に対応し、
前記第１の発光手段部分は前記第２の発光手段部分に接続され、又は、前記第１の発光手段部分は画素規制層（Ｐｉｘｅｌ  Ｄｅｆｉｎｅ  Ｌａｙｅｒ、ＰＤＬ）によって前記第２の発光手段部分と隔離される。
【０００９】
選択的に、前記発光手段の構成材料は赤色有機発光ダイオード（Ｏｒｇａｎｉｃ  Ｌｉｇｈｔ−Ｅｍｉｔｔｉｎｇ  Ｄｉｏｄｅ、ＯＬＥＤ）材料、緑色ＯＬＥＤ材料又は青色ＯＬＥＤ材料である。
【００１０】
選択的に、前記第１の陽極部分の構成材料は酸化インジウムスズ（Ｉｎｄｉｕｍ  Ｔｉｎ  Ｏｘｉｄｅｓ、ＩＴＯ）材料であり、
前記第１の陽極部分の構成材料はＩＴＯ材料と銀材料との混合材料又は積層材料である。
【００１１】
選択的に、前記陰極の構成材料は、銀とマグネシウムとの混合材料であり、
又は、
前記陰極の構成材料の透過率は銀とマグネシウムとの混合材料の透過率よりも高い。
【００１２】
本開示の実施例の第２の態様によれば、画面表示ユニットが提供され、前記画面表示ユニットは、少なくとも一つの上記に記載された第１の態様又は第１の態様のいずれかの選択可能な実現方式における画素表示ユニットを含む。
【００１３】
選択的に、前記画面表示ユニットは駆動回路、をさらに含み、
前記駆動回路は前記少なくとも一つの画素表示ユニットの位置以外の別の位置に設置され、
又は、前記駆動回路は前記少なくとも一つの画素表示ユニットの第２の陽極部分と前記基板との間に設置され、
前記駆動回路は前記少なくとも一つの画素表示ユニットにそれぞれ電気的に接続される。
【００１４】
本開示の実施例の第３の態様によれば、ディスプレイが提供され、前記ディスプレイは、少なくとも一つの第１の画面表示ユニットを含み、前記第１の画面表示ユニットが上記に記載された第２の態様又は第２の態様のいずれかの選択可能な実現方式における画面表示ユニットである。
【００１５】
選択的に、前記ディスプレイは、少なくとも一つの第２の画面表示ユニットをさらに含み、前記第２の画面表示ユニットの陽極は透明材料を採用し、
選択的に、前記ディスプレイは、少なくとも一つの第３の画面表示ユニットをさらに含み、前記第３の画面表示ユニットの陽極は非透明材料を採用する。
【００１６】
本開示の実施例の第４の態様によれば、端末が提供され、前記端末は、少なくとも一つの上記に記載された第３の態様又は第３の態様のいずれかの選択可能な実現方式におけるディスプレイを含む。
【００１７】
選択的に、前記端末は、前記ディスプレイの下に設置されたアンダースクリーンユニットをさらに含み、
前記画面表示ユニットは前記ディスプレイにおける第１の画面領域に設置され、前記第１の画面領域は前記アンダースクリーンユニットに対応する画面領域である。
【００１８】
選択的に、前記画面表示ユニットにおける画素表示ユニットの非透明面積の割合は、中心距離と正の相関を持ち、
ここで、前記非透明面積の割合は、前記画素表示ユニットにおける第２の陽極部分の面積と前記画素表示ユニットにおける陽極の面積との割合であり、前記中心距離は、前記画素表示ユニットの中心と前記アンダースクリーンユニットの中心との間の距離である。
【００１９】
選択的に、前記アンダースクリーンユニットは、カメラユニット及びセンサーユニットの中の少なくとも一方を含む。
【発明の効果】
【００２０】
本開示の実施例に提供された技術的案によれば、以下のような作用効果を奏することができる。
【００２１】
ディスプレイに用いられる画素表示ユニットによれば、画素表示ユニットは発光手段と陽極を含み、陽極は前記ディスプレイに平行な方向に設置された第１の陽極部分と第２の陽極部分を含み、第１の陽極部分の素材は透明材料であり、第２の陽極部分の素材は非透明材料を含み、発光手段はディスプレイの陰極と陽極との間に設置され、且つ陽極はディスプレイの基板と発光手段との間に設置される。本開示は、第１の陽極部分と第２の陽極部分を画素表示ユニットに設置し、第２の陽極部分の発光手段からの光線に対する発散効果を弱くさせることで、ディスプレイにおける当該画素表示ユニットの位置する箇所での光透過性を確保し、当該画素表示ユニットの位置する箇所での表示效果を向上する。
【００２２】
なお、上述した一般的な記述および後続の詳細な記述は、単に例示的および解釈的なものであり、本開示を制限するものでないことは、理解されるべきである。
【図面の簡単な説明】
【００２３】
ここでの図面は、明細書に組み入れて本明細書の一部分を構成し、本開示に適した実施例を例示し、且つ明細書とともに本開示の原理を解釈するために用いられる。
【図１】本開示の実施例により提供されるＯＬＥＤの画素表示ユニットのスタック配列を示す断面模式図である。
【図２】本開示の実施例に係るＯＬＥＤの画素表示ユニットのスタック配列を示す断面模式図である。
【図３】本開示の実施例に係るディスプレイを示す模式図である。
【図４】本開示の実施例により提供される画素表示ユニットの構造を示す側面模式図である。
【図５】本開示の実施例により提供される画素表示ユニットの構造を示す側面模式図である。
【図６】本開示の実施例に係る図５の画素表示ユニットを示す上面図である。
【図７】本開示の実施例に係る画素表示ユニットを示す上面図である。
【図８】本開示の実施例に係る画素表示ユニットの構造を示す側面模式図である。
【図９】本開示の実施例に係る図８の画素表示ユニットを示す上面図である。
【図１０】本開示の実施例に係る図５の画素表示ユニットを示す上面図である。
【図１１】本開示の実施例に係る図５の画素表示ユニットの構造を示す側面模式図である。
【図１２】本開示の実施例により提供される上記の図５に示す画素表示ユニットを含む画面表示ユニットを示す側面模式図である。
【図１３】本開示の実施例に係る図１２の画面表示ユニットを示す側面模式図である。
【図１４】本開示の実施例により提供されるディスプレイを示す。
【図１５】本開示の実施例により提供される端末を示す上面図である。
【図１６】本開示の実施例に係る端末を示す側面模式図である。
【図１７】本開示の実施例に係る図１６の端末を示す上面図である。
【図１８】本開示の実施例に係る端末を示す上面図である。
【発明を実施するための形態】
【００２４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本開示と一致する全ての実施形態を代表するものではない。即ち、それらは、特許請求の範囲に記載の本開示のある側面に一致する装置及び方法の例に過ぎない。
【００２５】
本開示により提供される方案は、スマートデバイスの表示画面に対する設計の応用シーンに適用される。理解を容易にするために、以下、まずに本開示の実施例に係るいくつかの用語および応用シーンに対して簡単に説明する。
【００２６】
画素（Ｐｉｘｅｌ）：画像要素とも呼ばれ、画像を表示する最小単位である。具体的に、画像はいくつかの小さなブロックで構成されているものと見なされてもよい。ここで、各小さなブロックは明確な位置と割り当てられた色彩の数値を有し、これらの小さなブロックを画像の画素と見なしてもよい。コンピュータ設備の画面（例えば、ディスプレイ）は画像を表示する場合、一つ又は複数の画素表示ユニットによって画像における一つの画素を表示することができる。
【００２７】
７Ｔ１Ｃ回路：駆動回路には、７つの薄膜トランジスタ（Ｔｈｉｎ  Ｆｉｌｍ  Ｔｒａｎｓｉｓｔｏｒ、ＴＦＴ）及び一つの蓄積容量（Ｃ）が含まれ、単に７Ｔ１Ｃ回路と称する。
【００２８】
蒸着：めっき材料を真空環境中で加熱し、めっき材料を気化させ、コーティングされる必要がある材料の表面に堆積させて薄膜を形成する方法である。
【００２９】
図１は、本開示の実施例により提供されるＯＬＥＤの画素表示ユニットのスタック配列の断面模式図である。図１に示すように、ＯＬＥＤディスプレイの画面表示ユニットは、陰極１０１、画素表示ユニット１０２、及び基板１０３を含み、画素表示ユニット１０２との間は、さらにＰＤＬによって離隔され、画素表示ユニット１０２には、発光手段１０４、陽極１０５、駆動回路１０６が含まれ、ここで、当該陰極１０１はマグネシウム／銀（Ｍｇ／Ａｇ）材料を採用し、発光手段１０４は赤色ＯＬＥＤ材料、緑色ＯＬＥＤ材料又は青色ＯＬＥＤ材料であってもよく、陽極１０５はＩＴＯと銀（Ａｇ）との混合材料又は積層材料（例えば、ＩＴＯ材料の表面にＡｇ材料などが設置される）を採用し、駆動回路は７Ｔ１Ｃ回路、６Ｔ１Ｃ回路、５Ｔ２Ｃ回路などであってもよく、基板１０３はガラス基板、ポリイミド（ＰＩ）基板などを採用してもよい。選択的に、画素表示ユニットが複数含まれていてもよい。
【００３０】
選択的に、駆動回路は低温ポリシリコン技術（Ｌｏｗ  Ｔｅｍｐｅｒａｔｕｒｅ  Ｐｏｌｙ‐ｓｉｌｉｃｏｎ、ＬＴＰＳ）又はインジウム・ガリウム・亜鉛酸化物（Ｉｎｄｉｕｍ  Ｇａｌｌｉｕｍ  Ｚｉｎｃ  Ｏｘｉｄｅ、ＩＧＺＯ）のディスプレイ技術を用いて作られてもよい。選択的に、当該駆動回路には、走査線とデータ線をさらに含まれていてもよい。
【００３１】
図１に示すようなＯＬＥＤの画素表示ユニットのスタック配列の構造において、陽極に採用された材料が非透明材料であり、且つ駆動回路も非透明であるので、当該領域の下方にカメラ、センサーなどの素子が設置された場合、カメラ、センサーなどの素子が当該ＯＬＥＤの画素表示ユニットの上方からの光線信号などを採集できないため、このような配列構造のＯＬＥＤをすべてディスプレイに適用させることができず、フルスクリーンの実現に対して制限がある。
【００３２】
関連技術において、ディスプレイの下方に設置されたカメラ、センサー等の素子に対する光線の遮蔽を回避させるために、上記ＯＬＥＤの画素表示ユニットのスタック配列に対して調整する。図２は、本開示の実施例に係るＯＬＥＤの画素表示ユニットのスタック配列の断面模式図である。図２に示すように、ＯＬＥＤディスプレイの画面表示ユニットは、陰極２０１、いくつかの画素表示ユニット２０２、基板２０３、駆動回路２０４を含んで形成され、画素表示ユニット２０２との間はさらにＰＤＬによって隔離され、画素表示ユニット２０２には、発光手段２０５、陽極２０６が含まれる。ここで、上記の図１に示す駆動回路を図２に示す位置（画素表示ユニット以外の位置、画素表示ユニットの両側）に移動した。また、当該方案にいて、陽極２０６は完全にＩＴＯ材料を採用し、陽極の光透過率を向上させ、陰極２０１は、Ｍｇ／Ａｇ材料よりも光透過率が良い材料を採用し、陰極の光透過率も向上させる。選択的に、基板２０３、駆動回路２０４、発光手段２０５の材料は図１に示す材料に類似し、ここでは説明を省略する。
【００３３】
図３は、本開示の実施例に係るディスプレイの模式図であり、図３に示すように、ディスプレイ３００には、第１の画面領域３０１、第２の画面領域３０２、余剰画面領域３０３、アンダースクリーンカメラ３０４、アンダースクリーン指紋センサー３０５が含まれ、選択的に、第１の画面領域３０１及び第２の画面領域３０２には、図２に示すＯＬＥＤ画素表示ユニットのスタック配列方式に従って配列されてもよく、余剰画面領域３０３において、図１に示すＯＬＥＤ画素表示ユニットのスタック配列方式に従って配列されてもよいし、図２に示すＯＬＥＤ画素表示ユニットのスタック配列方式に従って配列されてもよい。図３に示すように、第１の画面領域３０１の下方にアンダースクリーンカメラ３０４が設置され、選択的に、第１の画面領域３０１における各画素表示ユニットに採用される材料は透光性を有するものであるので、当該アンダースクリーンカメラ３０４は第１の画面領域３０１を透過して画面以外の情報を採集するとともに識別することができ、画面の下方でカメラによる採集を完成することが実現される。また、第２の画面領域３０２の下方にアンダースクリーン指紋センサー３０５が設置され、類似的に、第２の画面領域３０２に採用される材料が透光性を有するものであるので、当該アンダースクリーン指紋センサー３０５は第２の画面領域３０２を透過して画面以外の指紋情報を採集するとともに識別することができ、画面下方で指紋センサーによる採集を完成することが実現され、当該ディスプレイに対してフルスクリーンを実現できる。カメラと指紋センサーに加えて、上記のディスプレイ３００における透光領域の下方には、光線を採集する必要がある例えば、光線センサー、距離センサーなどの他のセンサーがさらに配置されてもよい。
【００３４】
しかしながら、ディスプレイにおけるある領域の光透過性が強いほど、当該領域の画面表示効果がそれに対応して悪くなるので、図２に示す配列方式で配列されたディスプレイの表示效果が悪い。また、上記の図３に示すディスプレイにより表示する場合、第１の画面領域及び第２の画面領域内における画素表示ユニットが図２に示す配列方式を採用して配列し、ディスプレイにおける他の部分の画素表示ユニットが図１に示す配列方式を採用して配列すると、ディスプレイにおける第１の画面領域及び第２の画面領域の光透過性がディスプレイにおける他の光透過性と比べ明らかな区分が存在し、それに対応して、ディスプレイに内容が表示される場合、第１の画面領域及び第２の画面領域で表示される画面効果が、他の画面領域で表示される画面効果と比べ区分が大きくなる可能性があり、ディスプレイの全体の表示効果を低下させる。
【００３５】
上記の問題を解決するため、本開示の実施例は画素表示ユニットを提供し、当該画素表示ユニットがディスプレイに設置されてもよい。図４は、本開示の実施例により提供される画素表示ユニットの構造の側面模式図である。図４に示すように、画素表示ユニット４００には発光手段４０１と陽極４０２が含まれ、
ここで、陽極は、ディスプレイに平行な方向に設置された第１の陽極部分４０２ａと第２の陽極部分４０２ｂを含み、第１の陽極部分４０２ａの素材は透明材料であり、第２の陽極部分４０２ｂの素材は非透明材料を含む。
【００３６】
選択的に、ディスプレイに平行な方向は図４に示すような横方向の矢印指示方向であってもよい。第１の陽極部分４０２ａと第２の陽極部分４０２ｂは図４に示す横方向に沿って配列されてもよい。選択的に、第１の陽極部分４０２ａと第２の陽極部分４０２ｂの数量は任意の数であってもよく、又は、第１の陽極部分４０２ａの面積と第２の陽極部分４０２ｂの面積との比の値は、開発者によって実際の必要に応じて設定されてもよい。
【００３７】
選択的に、上記の第１の陽極部分の素材は透明材料であってもよく、第２の陽極部分の素材は非透明材料であってもよい。選択的に、本開示の実施例により説明された透明材料と非透明材料は、材料の光透過率により限定されてもよい。例えば、第１の材料の光透過率がＩＴＯ材料の光透過率よりも小さくない場合、当該第１の材料を本開示の実施例において透明材料と称し、第２の材料の光透過率がＩＴＯ材料の光透過率よりも小さい場合、当該第１の材料を本開示の実施例において非透明材料と称する。
【００３８】
図４にはディスプレイの陰極４０３及び基板４０４がさらに含まれ、図４に示すような発光手段４０１がディスプレイの陰極４０３と陽極４０２との間に設置されてもよく、かつ陽極４０２がディスプレイの基板４０４と発光手段４０１との間に設置されてもよい。当該陽極が図４に示す横方向に沿って、ディスプレイの基板４０４に設置されてもよい。
【００３９】
以上の説明をまとめると、本開示の実施例に示す方案において、ディスプレイに用いられた画素表示ユニットによれば、画素表示ユニットは発光手段と陽極を含み、陽極は横方向に設置された第１の陽極部分と第２の陽極部分を含み、第１の陽極部分の素材は透明材料であり、第２の陽極部分の素材は非透明材料であり、発光手段はディスプレイの陰極と陽極との間に設置され、且つ陽極はディスプレイの基板と発光手段との間に設置される。本開示は、第１の陽極部分と第２の陽極部分を画素表示ユニットに設置し、第２の陽極部分の発光手段からの光線に対する発散効果を弱くさせることで、ディスプレイにおける当該画素表示ユニットの位置する箇所での光透過性を確保し、当該画素表示ユニットの位置する箇所での表示效果を向上する。
【００４０】
一つの実現可能な形態において、上述のように設計された発光手段は異なる陽極部分に対応されて、対応する発光手段部分がそれぞれ設計される。図５は、本開示の実施例により提供される画素表示ユニットの構造の側面模式図である。図５に示すように、画素表示ユニット５００には発光手段５０１と陽極５０２が含まれ、
ここで、陽極５０２は、ディスプレイに平行な方向に設置された第１の陽極部分５０２ａと第２の陽極部分５０２ｂを含み、第１の陽極部分５０２ａの素材は透明材料であり、第２の陽極部分５０２ｂの素材は非透明材料を含む。
【００４１】
選択的に、ディスプレイに平行な方向は図５に示すような横方向の矢印指示方向であっでもよく、第１の陽極部分５０２ａと第２の陽極部分５０２ｂは図５に示す横方向に沿って配列されてもよい。選択的に、陽極５０２は、少なくとも二つの第１の陽極部分５０２ａを含んでもよく、及び／又は、陽極は、少なくとも二つの第２の陽極部分５０２ｂを含んでもよい。即ち、第１の陽極部分５０２ａと第２の陽極部分５０２ｂの数量が任意の数であってもよく、又は、第１の陽極部分５０２ａの面積と第２の陽極部分５０２ｂの面積との比の値は、開発者によって実際の必要に応じて設定されてもよい。即ち、図５に示す画素表示ユニット５００において、この中の陽極５０２は少なくとも二つの第１の陽極部分と少なくとも二つの第２の陽極部分に区分されてもよい。
【００４２】
選択的に、上記の陽極に設計された第１の陽極部分５０２ａは第２の陽極部分５０２ｂを囲んでもよく、又は、第２の陽極部分５０２ｂは、第１の陽極部分５０２ａを囲んでもよい。図６は、本開示の実施例に係る図５の画素表示ユニットの上面図である。図６に示すように、画素表示ユニットには第１の陽極部分５０２ａと第２の陽極部分５０２ｂが含まれ、選択的に、当該第２の陽極部分５０２ｂが画素中心に設置されてもよく、それに対応する側面示意図は図５のように示され、第１の陽極部分は第２の陽極部分の外周を囲む。即ち、第１の陽極部分５０２ａは第２の陽極部分５０２ｂを完全に囲む。選択的に、図６に示す第２の陽極部分５０２ｂの位置、大きさ等も開発者によって実際の必要に応じて設定されてもよい。選択的に、図７は、本開示の実施例に係る別の画素表示ユニットの上面図である。即ち、当該第１の陽極部分５０２ａが画素中心に設置されてもよく、第２の陽極部分５０２ｂは第１の陽極部分５０２ａの外周を囲む。即ち、第２の陽極部分５０２ｂは第１の陽極部分５０２ａを完全に囲む。
【００４３】
他の一つの実現可能な形態において、上記の画素表示ユニットにおける陽極は少なくとも二つの第１の陽極部分８０１ａを含んでもよく、及び／又は、上記の画素表示ユニットにおける陽極は少なくとも二つの第２の陽極部分を含んでもよい。例えば、図８は、本開示の実施例に係る画素表示ユニットの構造の側面模式図を示し、図８に示すように、画素表示ユニット８００に含まれた陽極８０１は二つの第１の陽極部分８０１ａと二つの第２の陽極部分８０１ｂに分けられる。図８にはディスプレイの陰極８０３及び基板８０４がさらに含まれ、発光手段はディスプレイの陰極８０３と陽極８０１との間に設置され、且つ陽極８０１はディスプレイの基板８０４と発光手段との間に設置される。図９は、本開示の実施例に係る図８の画素表示ユニットの上面図であり、図９には、図８に設置された二つの第１の陽極部分８０１ａと二つの第２の陽極部分８０１ｂの位置が示され、開発者は陽極を設置する場合、図９に示す形態に応じて、当該陽極を二つの第１の陽極部分と二つの第２の陽極部分に設置する。選択的に、画素表示ユニットは正方形または長方形であってもよい、即ち、上記の図９に示す陽極の形状は正方形または長方形であってもよく、開発者は陽極に対して対応する設計を行い、複数の第１の陽極部分と複数の第２の陽極部分を形成してもよい。本開示の実施例はこれに対して限定しない。
【００４４】
選択的に、上記のように横方向に設置された第１の陽極部分５０２ａと第２の陽極部分５０２ｂの位置が変わられてもよく、第１の陽極部分５０２ａは第２の陽極部分５０２ｂを完全に囲んでいないように形成される。図１０は、本開示の実施例に係る図５の画素表示ユニットの上面図であり、図１０に示すように、画素表示ユニットには陽極５０２が含まれ、当該陽極５０２は横向に設置された第２の陽極部分５０２ｂと第１の陽極部分５０２ａを含み、図５に示す第２の陽極部分５０２ｂの設置位置に対して異なっている。選択的に、図１０に示すように、第２の陽極部分５０２ｂは図中における他の位置（図１０における破線で示すように）に設置されてもよく、ここでいちいち例を挙げて紹介しない。選択的に、上記の図８に示す陽極に含まれる第１の陽極部分と第２の陽極部分の設置位置が変更されてもよく、第２の陽極部分５０２ｂは第１の陽極部分５０２ａを完全に囲んでいないように形成される。本開示の実施例はこれに対して限定しない。
【００４５】
選択的に、上記の第１の陽極部分の素材は透明材料であってもよく、第２の陽極部分の素材が非透明材料であってもよい。選択的に、本開示の実施例により説明された透明材料と非透明材料は材料の光透過率により限定されてもよい。例えば、第１の材料の光透過率がＩＴＯ材料の光透過率よりも小さくない場合、当該第１の材料を本開示の実施例において透明材料と称し、第２の材料の光透過率がＩＴＯ材料の光透過率よりも小さい場合、当該第１の材料が本開示の実施例において非透明材料と称する。
【００４６】
図５にはディスプレイの陰極５０３及び基板５０４がさらに含まれ、図５に示すように発光手段５０１がディスプレイの陰極５０３と陽極５０２との間に設置されてもよく、且つ陽極５０２がディスプレイの基板５０４と発光手段５０１との間に設置されてもよい。
【００４７】
選択的に、発光手段５０１は第１の発光手段部分５０１ａと第２の発光手段部分５０１ｂをさらに含み、
第１の発光手段部分５０１ａは第１の陽極部分５０２ａに対応し、且つ第２の発光手段部分５０１ｂは第２の陽極部分５０２ｂに対応する。
【００４８】
図５に示すように、第１の陽極部分は第１の発光手段部分に対応し、一つの第２の陽極部分は一つの第２の発光手段部分に対応する。選択的に、上記の図８に示す第１の陽極部分と第２の陽極部分も自分の第１の発光手段部分と第２の発光手段部分にそれぞれ対応し、ここでは説明を省略する。
【００４９】
一つの実現可能な形態において、第１の発光手段部分５０１ａは画素規制層ＰＤＬによって第２の発光手段部分５０１ｂと隔離される。図５示すように、陽極と陰極との間にはＰＤＬが設置されてもよく、発光手段部分の発光材料が陽極上のＰＤＬに蒸着された場合、ＰＤＬによって隔離されてそれぞれ異なる位置に位置され、異なる陽極部分に対応して発光手段部分が形成される。即ち、当該ＰＤＬは発光手段の発光材料の蒸着範囲をさらに制御してもよい。
【００５０】
一つの実現可能な形態において、第１の発光手段部分５０１ａは第２の発光手段部分５０１ｂに接続されてもよい。図１１は、本開示の実施例に係る図５の画素表示ユニットの構造の側面模式図であり、図１１に示すように、第１の発光手段部分５０１ａはＰＤＬの上方で第２の発光手段部分５０１ｂに接続されてもよい。
【００５１】
選択的に、第１の発光手段部分と第２の発光手段部分との間に採用された発光材料は開発者により任意に配置されてもよい。選択的に、発光手段５０１の構成材料は赤色ＯＬＥＤ材料、緑色ＯＬＥＤ材料又は青色ＯＬＥＤ材料であってもよい。ここで、第１の発光手段部分は上記三つのＯＬＥＤ材料の中のいずれのものであってもよく、第２の発光手段部分も上記三つのＯＬＥＤ材料の中のいずれのものであってもよい。選択的に、図５に示す第１の発光手段部分の左側の第１の発光手段部分と右側の第１の発光手段部分がそれぞれ採用したＯＬＥＤ材料が同じであってもよく異なってもよい。図５に示す第１の発光手段部分と第２の発光手段部分がそれぞれ採用したＯＬＥＤ材料が同じであってもよく異なってもよい。
【００５２】
選択的に、第１の陽極部分５０２ａの構成材料は酸化インジウムスズＩＴＯ材料を採用してもよく、又は、第１の陽極部分５０２ａの構成材料はＩＴＯ材料よりも光透過率が高い材料を採用してもよい。第２の陽極部分５０２ｂの構成材料はＩＴＯ材料と銀材料との混合材料又は積層材料を採用してもよく、つまり、第２の陽極部分の構成材料は図１に示すような陽極が採用した材料と同じであってもよい。
【００５３】
選択的に、上述陰極の構成材料は銀とマグネシウムとの混合材料であってもよく、又は、陰極の構成材料は銀とマグネシウムとの混合材料よりも光透過率が高い材料を採用してもよい。
【００５４】
以上の説明をまとめると、本開示の実施例に示す方案において、ディスプレイに用いられた画素表示ユニットによれば、画素表示ユニットは発光手段と陽極を含み、陽極はディスプレイに平行な方向に設置された第１の陽極部分と第２の陽極部分を含み、第１の陽極部分の素材は透明材料であり、第２の陽極部分の素材は非透明材料を含み、発光手段はディスプレイの陰極と陽極との間に設置され、且つ陽極はディスプレイの基板と発光手段との間に設置される。本開示は、第１の陽極部分と第２の陽極部分を画素表示ユニットに設置し、第２の陽極部分の発光手段からの光線に対する発散効果を弱くさせることで、ディスプレイにおける当該画素表示ユニットの位置する箇所での光透過性を確保し、当該画素表示ユニットの位置する箇所での表示效果を向上する。
【００５５】
図１２は、本開示の実施例により提供される画面表示ユニットの側面模式図であり、当該画面表示ユニットは少なくとも一つの上記の図５に示すような画素表示ユニットを含んでもよい。選択的に、当該画面表示ユニットには駆動回路がさらに含まれる。図１２に示すように、当該画面表示ユニットには第１の画素表示ユニット１２０１、第２の画素表示ユニット１２０２、第３の画素表示ユニット１２０３、駆動回路１２０４が含まれる。
【００５６】
第１の画素表示ユニット１２００には発光手段１２０５と陽極１２０６が含まれる。選択的に、図１２に示すように、ここにはディスプレイの陰極１２０７と基板１２０８がさらに含まれ、当該発光手段１２０５と陽極１２０６は上記の図４又は図５に示す発光手段と陽極を参照して設置されてもよいので、ここでは説明を省略する。ここで、当該画面表示ユニットには三つの画素表示ユニットが含まれているがこれは例示的であり、実際の応用において、一つの画面表示ユニットはより多い又はより少ない画素表示ユニットを含んでもよい。
【００５７】
選択的に、当該画面表示ユニットにおける第２の画素表示ユニットに含まれた陽極部分の構造は第１の画面表示ユニットに含まれる陽極部分の構造と同じであってもよい。即ち、第２の画素表示ユニットと第１の画素表示ユニットとはいずれも上記の図５に示す画素表示ユニットであってもよい。又は、第２の画素表示ユニットに含まれた陽極部分の構造はそのすべてが不透明な素材であってもよい。例えば、第２の画素表示ユニットは上記の図１に示す画素表示ユニットである。又は、第２の画素表示ユニットに含まれた陽極部分の構造はそのすべてが透明素材であってもよい。例えば、第２の画素表示ユニットは上記の図２に示す画素表示ユニットである。即ち、本開示の実施例により提供された画面表示ユニットにおいて、上記の図１、図２に示す画素表示ユニットは図４又は図５に示す画素表示ユニットと任意に組み合わせて使用されてもよく、少なくとも一つの図４または図５に示す画素表示ユニットを含む画面表示ユニットが形成される。
【００５８】
選択的に、当該駆動回路は少なくとも一つの画素表示ユニットの位置以外の他の位置に設置されてもよく、且つ駆動回路は少なくとも一つの画素表示ユニットにそれぞれ電気的に接続されてもよい。選択的に、図１２に示すように、駆動回路は含まれた複数の画素表示ユニットの両側に設置されてもよい。選択的に、駆動回路は、複数の画素表示ユニットに電気的に接続されて、複数の画素表示ユニットの陽極とディスプレイの陰極との間の電圧を制御してもよく、各画素表示ユニットの動作を制御してもよい。
【００５９】
一つの実現可能な形態において、図１２に示す駆動回路１２０４は少なくとも一つの画素表示ユニットの第２の陽極部分と基板との間にさらに設置されてもよく、且つ駆動回路は少なくとも一つの画素表示ユニットにそれぞれ電気的に接続されてもよい。例えば、図１２に示す陽極１２０６において、中間の陽極部分が第２の陽極部分である場合、駆動回路１２０４は陽極１２０６の中間の陽極部分と基板との間にさらに設置されてもよい。図１３は、本開示の実施例に係る図１２の画面表示ユニットの側面模式図である。駆動回路１２０４の設置位置は図１３のように示されてもよい。つまり、駆動回路１２０４は不透明な素材の陽極部分と基板との間に設置されてもよい。選択的に、一つの駆動回路は複数の画素表示ユニットに対して制御し、駆動回路の数は実際の応用の要求により決定されてもよく、本開示の実施例はここに対して限定しない。
【００６０】
図１４は、本開示の実施例により提供されるディスプレイを示している。図１４に示すディスプレイ１４００には、少なくとも一つの第１の画面表示ユニット１４０１が含まれ、当該第１の画面表示ユニットは上記の図１２に示すような画面表示ユニットであってもよい。
【００６１】
選択的に、当該ディスプレイには少なくとも一つの第２の画面表示ユニットがさらに含まれてもよく、第２の画面表示ユニットの陽極は透明材料を採用する。例えば、上記の図１４には、第２の画面表示ユニット１４０２がさらに含まれ、当該第２の画面表示ユニットの陽極のすべては透明材料を採用してもよい。例えば、上記の図２に示す一つの画素表示ユニットからなる画面表示ユニットである。選択的に、当該ディスプレイは少なくとも一つの第３の画面表示ユニットさらに含んでもよく、第３の画面表示ユニットの陽極は非透明材料を採用してもよい。例えば、上記の図１４には、第３の画面表示ユニット１４０３がさらに含まれてもよく、当該第３の画面表示ユニットにおける画素表示ユニットの陽極のすべては非透明材料を採用してもよい。例えば、上記の図１に示す一つの画素表示ユニットからなる画面表示ユニットである。なお、本開示の実施例は、第１の画面表示ユニットが含まれたディスプレイには第２の画面表示ユニット及び第３の画面表示ユニットが含まれるがそれらの数量に対して限定しない。即ち、第１の画面表示ユニットが含まれたディスプレイにおいて、対応的に第２の画面表示ユニットと第３の画面表示ユニットを選択して組み合わせてもよく、最終的に各画面表示ユニットによってディスプレイの表示などが実現される。
【００６２】
図１５は、本開示の実施例により提供される端末の上面図である。図１５に示すように、当該端末は少なくとも一つのディスプレイ１５００を含んでもよく、当該ディスプレイ１５００が上記の図１４に示すようなディスプレイであってもよい。選択的に、当該端末には、ディスプレイ１５００の下に設置されたアンダースクリーンユニット１５０１、ディスプレイ１５００に含まれた少なくとも一つの第１の画面表示ユニット１５０２がさらに含まれ、当該第１の画面表示ユニット１５０２は上記の図１２に示すような画面表示ユニットであり、当該第１の画面表示ユニット１５０２はディスプレイ１５００における第１の画面領域１５０３内に設置されてもよい。ここで、第１の画面領域１５０３はアンダースクリーンユニット１５０１に対応する画面領域であってもよい。
【００６３】
選択的に、第１の画面領域１５０３には、第２の画面表示ユニット１５０４がさらに含まれてもよく、当該第２の画面表示ユニット１５０４は、上記の図１と図２の中のいずれかに示す画素表示ユニットが設置された画面表示ユニットであってもよい。即ち、当該第１の画面領域１５０２において、図１２に示す画面表示ユニットが備えてもよく、他のタイプの画面表示ユニットを備えてもよい。例えば、画面表示ユニットの画素表示ユニットにおける陽極のすべては不透明素材を採用してもよく、又は、画面表示ユニットの画素表示ユニットにおける陽極のすべては透明素材などのような画面表示ユニットを採用してもよい。選択的に、開発者は実際状況に応じて各タイプの画面表示ユニットを当該第１の画面領域中に柔軟に配置してもよい。
【００６４】
選択的に、第１の画面表示ユニットにおける画素表示ユニットの非透明面積の割合は、中心距離と正の相関を持ち、ここで、非透明面積の割合は画素表示ユニットにおける第２の陽極部分の面積と画素表示ユニットにおける陽極の面積との割合であり、中心距離は陽極の中心とアンダースクリーンユニットの中心との間の距離である。
【００６５】
一つの実現可能な方形態において、第１の画面領域に第１の画面表示ユニットが配置された場合、当該第１の画面表示ユニットにおける画素表示ユニットの第２の陽極部分の面積は、当該第１の画面表示ユニットにおける陽極の中心とアンダースクリーンユニットの中心との間の距離によって決定されてもよい。例えば、第２の陽極部分が画素表示ユニットの陽極で占めるの面積は、当該第１の画面表示ユニットにおける陽極の中心がスクリーンダウンコンポーネントの中心からの距離と正の相関関係に持つ。
【００６６】
図１６は、本開示の実施例に係る端末の側面模式図であり、図１６に示すように、ディスプレイ１６０１、陰極１６０２、第１の画面表示ユニット１６０３、アンダースクリーンユニット１６０４、第１の画素表示ユニット１６０５、第２の画素表示ユニット１６０６、基板１６０７が含まれる。第１の画素表示ユニット１６０５の陽極の中心がアンダースクリーン表示ユニット１６０４からの距離はＮであり、第２の画素表示ユニット１６０６の陽極の中心がアンダースクリーン表示ユニット１６０４からの距離はＭであり、且つＮ＞Ｍである場合、第１の画素表示ユニット１６０５に含まれた第２の陽極部分の面積と第１の画素表示ユニット１６０５における陽極の面積との割合も、それに対応して第２の画素表示ユニット１６０６に含まれた第２の陽極部分の面積と第２の画素表示ユニット１６０６における陽極の面積との割合によりも大きい。
【００６７】
図１７は、本開示の実施例に係る図１６の端末の上面図である。図１７に示すように、第１の画素表示ユニット１６０５に含まれた第２の陽極部分１７０１の面積は、第２の画素表示ユニット１６０６に含まれた第２の陽極部分１７０２の面積よりも大きい。各画素表示ユニットに含まれた陽極の面積が同じである場合、第１の画素表示ユニットに含まれた非透明面積の割合は、第２の画素表示ユニットに含まれた非透明面積の割合よりも大きい。
【００６８】
選択的に、アンダースクリーンユニット１５０１はカメラユニット又はセンサーユニットの中の少なくとも一方であってもよい。即ち、当該端末は、異なる画面領域の下に異なるアンダースクリーンユニットを設置し、且つ異なるアンダースクリーンユニットがそれぞれの第１の画面領域に対応する。図１８は、本開示の実施例に係る端末の上面図である。図１８に示すように、当該端末にはディスプレイ１８００、第１のアンダースクリーンユニット１８０１、第２のアンダースクリーンユニット１８０２が含まれ、ディスプレイ１８００上にも第１のアンダースクリーンユニット１８０１に対応する第１の画面表示領域１８０３、第２のアンダースクリーンユニット１８０２に対応する第１の画面表示領域１８０４が含まれてもよい。選択的に、第１のアンダースクリーンユニット１８０１に対応する第１の画面表示領域１８０３及び第２のアンダースクリーンユニット１８０２に対応する第１の画面表示領域１８０４における設置は、上記の図１５に示す第１の画面表示領域に類似し、ここでは説明を省略する。
【００６９】
以上の説明をまとめると、本開示の実施例に示す方案において、ディスプレイに用いられた画素表示ユニットによれば、画素表示ユニットは発光手段と陽極を含み、陽極はディスプレイに平行な方向に設置された第１の陽極部分と第２の陽極部分を含み、第１の陽極部分の素材は透明材料であり、第２の陽極部分の素材は非透明材料を含み、発光手段はディスプレイの陰極と陽極との間に設置され、且つ陽極はディスプレイの基板と発光手段との間に設置される。本開示は、第１の陽極部分と第２の陽極部分を画素表示ユニットに設置し、第２の陽極部分の発光手段からの光線に対する発散効果を弱くさせることで、ディスプレイにおける当該画素表示ユニットの位置する箇所での光透過性を確保し、当該画素表示ユニットの位置する箇所での表示效果を向上する。
【００７０】
当業者は、明細書に対する理解、及び明細書に記載された発明に対する実施を介して、本開示の他の実施形態を容易に取得することができる。本開示は、本開示に対する任意の変形、用途、又は適応的な変化を含み、このような変形、用途、又は適応的な変化は、本開示の一般的な原理に従い、本開示では開示していない本技術分野の公知知識、又は通常の技術手段を含む。明細書及び実施例は、単に例示的なものであって、本開示の本当の範囲と主旨は、以下の特許請求の範囲によって示される。
【００７１】
本開示は、上記で記述され、図面で図示した特定の構成に限定されず、その範囲を離脱しない状況で、様々な修正や変更を実施してもよい。本開示の範囲は、添付される特許請求の範囲のみにより限定される。
【図１】
2021529411.tif 000003
【図２】
2021529411.tif 000004
【図３】
2021529411.tif 000005
【図４】
2021529411.tif 000006
【図５】
2021529411.tif 000007
【図６】
2021529411.tif 000008
【図７】
2021529411.tif 000009
【図８】
2021529411.tif 000010
【図９】
2021529411.tif 000011
【図１０】
2021529411.tif 000012
【図１１】
2021529411.tif 000013
【図１２】
2021529411.tif 000014
【図１３】
2021529411.tif 000015
【図１４】
2021529411.tif 000016
【図１５】
2021529411.tif 000017
【図１６】
2021529411.tif 000018
【図１７】
2021529411.tif 000019
【図１８】
2021529411.tif 000020
【国際調査報告】
2021529411.tif 000021
2021529411.tif 000022
2021529411.tif 000023
2021529411.tif 000024